(57)【要約】      （修正有）【課題】両面テープで取付けた配線カバーを撤去した際に床面及び壁面に粘着剤とプラスチック製発泡材等基材が残らず、多少残ったとしても、溶剤を使用することなしにモップ及び水雑巾で簡単に拭取れ、再使用が可能に改良した配線用両面粘着テープを提供する。【解決手段】粘着材を使用しないでも粘着性能を有したプラスチックエラストマー層３とプラスチック製発泡材等基材層６の両面に強粘着層５及び７を有した従来から既存している両面粘着テープを重ねわせて配線用両面粘着テープを形成し、床面及び壁面にプラスチック製エラストマー層を貼付け、配線カバーに強粘着層を貼付ける。【選択図】図１
0003122848.tif 000002
【実用新案登録請求の範囲】
【請求項１】
粘着性能を有したプラスチック製エラストマー層３の両面にプラスチック製フィルム２及び４を形成したことを特徴とする配線カバー用両面粘着テープ１。
【請求項２】
プラスチック製発泡材等基材層６の両面に強粘着剤層５及び７を形成し、強粘着剤層７の下面に剥離紙８を形成したことを特徴とする配線カバー用両面粘着テープ１。
【請求項３】
前記プラスチック製フィルム４の片面に前記強粘着剤層５の片面を形成させたことを特徴とする配線カバー用両面粘着テープ１。
【考案の詳細な説明】
【技術分野】
【０００１】
本考案は、配線カバー用両面粘着テープに関するものであり、プラスチック製エラストマー層３と既存する強粘着剤層５及び７を有する両面粘着テープを組合せたことを特徴とした考案である。
【背景技術】
【０００２】
従来、両面粘着テープとしては、プラスチック製発泡剤等基材層の両面に粘着剤を塗着形成したものは有った。
【０００３】
また、粘着性能を有したプラスチック製エラストマーを使用して地震時に家具、ＡＶ機器、家電製品、その他小物を固定し、転倒防止するシート製品も有った。
【０００４】
しかしながら、上述した従来の両面粘着テープでは、床面及び壁面に配線カバー等を固定した後に移動する場合の撤去時に、床面及び壁面に粘着剤とプラスチック製発泡材等基材がへばり付いて残ってしまい、取り去るためには溶剤等を染込ませて基材面を軟らかくしてから、箆状の工具を用いて取り去る作業が必要であり、大変手間がかかる上に粘着剤部分に埃等が付着した部分を完全に取り去ることは不可能に近い状況であった。
【０００５】
また、上述した従来のプラスチック製エラストマーを使用したシート製品は、配線カバー等の下面に貼付けて床面及び壁面に固定し、配線カバー等上面方向より力を加えた場合にプラスチック製エラストマーシート製品単体であると厚さが０．５ｍｍ以上あるため、エラストマーの特徴である柔軟性が災いし、配線カバーが固定できず支持の状態となり動いてしまい、人の足が配線カバー上面を踏んだ時に転倒する危険があった。
【考案の開示】
【考案が解決しようとする課題】
【０００６】
本考案はこのような事情に鑑み創案されたものであって、その解決すべき課題は従来品の有する欠点と思慮される課題を解消することであり、その目的とするところは、従来両面テープの欠点であった床面及び壁面に粘着剤とプラスチック製発泡材等基材が残らず、また多少残ったとしても溶剤を使用することなしに簡単に拭取れる性能を持ち、配線カバー固定に従来と同等の性能を有する配線カバー用両面粘着テープを提供することにある。
【課題を解決するための手段】
【０００７】
上述した課題を解決するために本考案が採った手段は、叙上の実用新案登録請求の範囲に記載のとおりである。
【０００８】
本考案の配線カバー用両面粘着テープは、プラスチック製発泡材等基材の両面にプラスチック製エラストマー層と強粘着剤層を形成させ、プラスチック製エラストマー層を強粘着材層より貼付力を弱くしてある。
【０００９】
なお、従来のプラスチック製エラストマーシート単体製品は、厚みが０.５ｍｍ以上であるため配線カバー等に取付けて使用した場合に、上述したように配線カバー等が動いてしまうという欠点があったが、プラスチック製フィルム上にプラスチック製エラストマー層を５０μ〜１００μの薄い厚みの範囲で積層させたことにより、配線カバー等を床に取付け人の足が配線カバーの上に乗った場合に従来の粘着材と同様の粘着性能を満足させて固定できることが可能となった。
【００１０】
また、プラスチック製エラストマーは、性能として粘着性を有し、水に浸すことにより軟らかくなり、乾燥後は粘着力が再現するという材質であるため、はがした後にプラスチック製エラストマー面に付いた塵、埃等を水で洗い取り乾燥すれば、再使用可能である上、床等に残っても従来行っている清掃の水洗いで簡単に除去可能である。
【考案の効果】
【００１１】
以上述べたように、本考案の配線カバー用両面粘着テープは、プラスチック製発泡材等基材の両面にプラスチック製エラストマー層と強粘着剤層で形成されているので、これを使用して配線カバー等を床面及び壁面に固定する場合は、配線カバー等の底面に強粘着剤層を取付けた後、床面及び壁面にプラスチック製エラストマー層を取付け固定する。
【００１２】
上述したように、プラスチック製エラストマー層は強粘着剤層よりも貼付力を弱くしてあるので、はがした時に必ず配線カバー用両面粘着テープは配線カバーに残り床面及び壁面に従来品両面粘着テープのようにプラスチック製発泡材等基材が残ることがない。
【考案を実施するための最良の形態】
【００１３】
本考案に係る配線カバー用両面粘着テープの実施の形態を図1及び図２及び図３に基づいて説明すると、図１の配線用両面粘着テープ１において、剥離紙８をはがして強粘着剤層７面を配線カバー９の下面適当な個所に貼付ける。
【００１４】
次に、上述した配線用両面粘着テープ1のプラスチック製フィルム２をはがすとプラスチック製エラストマー層３が現れるので、配線カバー９を固定する床面及び壁面１０の所定の位置に上方より手で押付けて取付けることで作業完了である。
【００１５】
なお、プラスチック製エラストマー層３を着色し、プラスチック製フィルム層２を透明にすることにより、反対面にある強粘着剤層７との区別が配線カバー用両面粘着テープ１の表面からできると共に、はがした時に床面及び壁面にプラスチック製エラストマー層３が残った場合でも色にて確認できるので色の付いた箇所を水雑巾で拭くことにより、残滓を簡単に取去ることができる。
【００１６】
また、プラスチック製エラストマー層３は材質の特徴として、使用後にはがして表面の埃、汚れを水にて洗い流すことにより、再使用が可能であるので、従来の両面テープのように使い捨てでないため、コスト低減が図れる。
【産業上の利用可能性】
【００１７】
テパート、コンビニエンスストアー等の商品展示箇所は、１週間〜２週間間隔で商品の展示方法を変更するため、照明用のケーブルを保護するために床面に取付けられた配線カバーもその都度取外して取付け場所を移行する必要が出てくる。
【００１８】
上述したように、本考案の配線カバー用両面粘着テープは、配線カバーをはがした後の床面の清掃も通常の掃除方法で良く、配線カバーの下面に取付けられている配線カバー用両面粘着テープのプラスチック製エラストマー層面を水洗いして乾燥することで、再使用できるので最適品であるといえる。
【図面の簡単な説明】
【００１９】
【図１】本考案の配線カバー用両面粘着テープ１の正面図
【図２】本考案の配線カバー用両面粘着テープ１の取付け状態図
【図３】本考案の配線カバー用両面粘着テープ１の床面及び壁面取付け実施図
【符号の説明】
【００２０】
１    配線カバー用両面粘着テープ
２    プラスチック製フィルム
３    プラスチック製エラストマー層
４    プラスチック製フィルム
５    強粘着剤層
６    プラスチック製発泡材等基材層
７    強粘着剤層
８    剥離紙
９    配線カバー
１０  床面及び壁面
１１  ケーブル
【図１】
0003122848.tif 000003
【図２】
0003122848.tif 000004
【図３】
0003122848.tif 000005
【手続補正書】
【提出日】平成18年4月19日(2006.4.19)
【手続補正１】
【補正対象書類名】実用新案登録請求の範囲
【補正対象項目名】全文
【補正方法】変更
【補正の内容】
【実用新案登録請求の範囲】
【請求項１】
粘着性能を有したプラスチック製エラストマー層３の両面にプラスチック製フィルム２及び４を形成したことを特徴とする配線カバー用両面粘着テープ１。
【請求項２】
粘着性能を有したプラスチック製エラストマー層３の両面にプラスチック製フィルム２及び４を形成し、プラスチック製発泡材等基材層６の両面に強粘着剤層５及び７を形成させ、該強粘着剤層７の片面に剥離紙８を形成したものを該プラスチック製フィルム４の片面に形成させたことを特徴とする配線カバー用両面粘着テープ１。